(57)【特許請求の範囲】
【請求項１】
吸水性ポリマーとパルプ繊維とを含む吸収体を備えた使い捨ておむつであって、
前記吸収体は股下部に、中央吸収体と、該中央吸収体の両側に該中央吸収体との間に間隔を設けて配置された側部吸収体とを有しており、
前記吸収体の長手方向の全長を２等分する吸収体幅方向中心線によって、前記中央吸収体及び前記側部吸収体のそれぞれを前方部と後方部とに区分し、中央吸収体の前方部、中央吸収体の後方部、側部吸収体の前方部及び側部吸収体の後方部のそれぞれにおける吸水性ポリマーのパルプ繊維に対する坪量比を、この順にＣＦ、ＣＢ、ＳＦ及びＳＢとしたときに、下記式（１）の関係を満たす、使い捨ておむつ。
ＣＦ＞ＣＢ＞ＳＢ、且つＣＦ＞ＳＦ＞ＳＢ    ・・・（１）
【請求項２】
前記中央吸収体及び／又は前記側部吸収体は、それぞれの前記前方部と前記後方部とが物理的に連続している、請求項１記載の使い捨ておむつ。
【請求項３】
前記中央吸収体及び／又は前記側部吸収体は、それぞれの前記前方部から前記後方部に亘って、吸水性ポリマーのパルプ繊維に対する坪量比が連続的に変化している、請求項２記載の使い捨ておむつ。
【請求項４】
前記中央吸収体における長手方向後方部側の端部に切り欠き部が設けられている、請求項１〜３の何れか１項記載の使い捨ておむつ。
【請求項５】
前記中央吸収体は、前記後方部に、股下部におけるよりも幅が拡大した幅広部を有しており、該幅広部の最大幅が、該股下部における前記側部吸収体の外側縁同士間の距離と等しくなされている、請求項１〜４の何れか１項記載の使い捨ておむつ。
【発明の詳細な説明】
【技術分野】
【０００１】
本発明は、使い捨ておむつに関する。
【背景技術】
【０００２】
従来の使い捨ておむつとして、吸収体の吸収性能を効果的に発現させるために吸収体の形状や、吸収体に含まれる吸収性材料の坪量等を工夫したものが知られている。
例えば、特許文献１には、吸収性物品の吸収体として、少なくとも股間部から後側部分にかけて前後方向に延在する下層吸収体が設けられるとともに、この下層吸収体の上に、下層吸収体よりも幅が狭く且つ少なくとも股間部から後側部分にかけて前後方向に延在する上層吸収体が設けられ、前記上層吸収体における幅方向中央線の左右両側に、上層吸収体の表裏面に貫通する上層スリットが、股間部から後側部分にかけてそれぞれ延在されているものが記載されている。
また、特許文献２には、吸水性ポリマー及びパルプ繊維の坪量が高い高坪量領域と、それぞれの坪量が高坪量領域よりも低い低坪量領域を有しており、両領域が、物理的に連続した一体構造で形成された吸収体が記載されている。また、特許文献２には、高坪量領域と低坪量領域とで吸水性ポリマーとパルプ繊維との混合率が異なる実施例が記載されている。
【先行技術文献】
【特許文献】
【０００３】
【特許文献１】特開２０１０−１３１２０６号公報
【特許文献２】特開２００４−６５９２９公報
【発明の概要】
【発明が解決しようとする課題】
【０００４】
特許文献１には、上層スリットを用いて、吸収体の幅方向外側への液の拡散を促進することが記載されている。しかしながら、上層スリットよりも幅方向中央側、及び該スリットよりも幅方向外側における吸水性ポリマーとパルプ繊維とがどの様な坪量比となっているかについて、何ら開示されていない。また、そのようなスリットを設けても、吸収体におけるスリットの幅方向外側部分の吸収・拡散性能の発現が不十分となり易く、吸収体全体の吸収性能を充分に活用できない懸念がある。
特許文献２には、高坪量領域と低坪量領域とで吸水性ポリマーとパルプ繊維との混合率が異なる実施例が記載されている。しかしながら、特許文献２には、吸収体における吸水性ポリマーとパルプ繊維との坪量比の設定を、吸収体の幅方向中央部分と、幅方向外側部分とで区別して行うことについて何ら開示されていない。
【０００５】
従って、本発明の課題は、吸収体の広い範囲の吸収性能を効果的に発現させることができ、吸収性能及び漏れ防止性能に優れた使い捨ておむつを提供することにある。
【課題を解決するための手段】
【０００６】
本発明は、吸水性ポリマーとパルプ繊維とを含む吸収体を備えた使い捨ておむつであって、前記吸収体は股下部に、中央吸収体と、該中央吸収体の両側に該中央吸収体との間に間隔を設けて配置された側部吸収体とを有しており、前記吸収体の長手方向の全長を２等分する吸収体幅方向中心線によって、前記中央吸収体及び前記側部吸収体のそれぞれを前方部と後方部とに区分し、中央吸収体の前方部、中央吸収体の後方部、側部吸収体の前方部及び側部吸収体の後方部のそれぞれにおける吸水性ポリマーのパルプ繊維に対する坪量比を、この順にＣＦ、ＣＢ、ＳＦ及びＳＢとしたときに、下記式（１）の関係を満たす。
ＣＦ＞ＣＢ＞ＳＢ、且つＣＦ＞ＳＦ＞ＳＢ    ・・・（１）
【発明の効果】
【０００７】
本発明の使い捨ておむつは、吸収体の広い範囲の吸収性能を効果的に発現させることができ、吸収性能及び漏れ防止性能に優れている。
【図面の簡単な説明】
【０００８】
【図１】図１は、本発明の第１実施形態である使い捨ておむつを示す斜視図である。
【図２】図２は、図１に示す使い捨ておむつの展開且つ伸長状態を示す平面図である。
【図３】図３は、図１に示す使い捨ておむつにおける吸収体を示す平面図である。
【図４】図４は、図１に示す吸収体における液の流れを示す模式図である。
【図５】図５は、本発明の第２実施形態における吸収体を示す平面図である。
【図６】図６は、本発明の第３実施形態における吸収体を示す平面図である。
【図７】図７は、本発明の第４実施形態における吸収体を示す平面図である。
【０００９】
以下に、本発明の使い捨ておむつをその好ましい実施形態に基づき図面を参照しながら説明する。
本発明の第１実施形態である使い捨ておむつ１（以下、おむつ１ともいう）は、図２及び図３に示すように、吸水性ポリマーとパルプ繊維とを含む吸収体４を備えている。該吸収体４は股下部Ｃに、中央吸収体５と、該中央吸収体５の両側に該中央吸収体５との間に間隔を設けて配置された側部吸収体６，６とを有している。吸収体４の長手方向の全長Ｌ５ｘを２等分する吸収体幅方向中心線ＣＬによって、中央吸収体５及び側部吸収体６，６のそれぞれを前方部５ｆ，６ｆと後方部５ｂ、６ｂとに区分する。中央吸収体５の前方部５ｆ、中央吸収体５の後方部５ｂ、側部吸収体６の前方部６ｆ及び側部吸収体６の後方部６ｂのそれぞれにおける吸水性ポリマーのパルプ繊維に対する坪量比を、この順にＣＦ、ＣＢ、ＳＦ、ＳＢとしたときに、下記式（１）の関係を満たす。
ＣＦ＞ＣＢ＞ＳＢ、且つＣＦ＞ＳＦ＞ＳＢ    ・・・（１）
【００１０】
おむつ１は、図１及び図２に示すように、腹側部Ａ、背側部Ｂ及び股下部Ｃを有する。腹側部Ａは、着用時に着用者の腹側に配される部位であり、背側部Ｂは、着用時に着用者の背側に配される部位である。股下部Ｃは、腹側部Ａと背側部Ｂとの間に位置して、着用時に着用者の股間部に配される。
【００１１】
また、おむつ１の長手方向Ｘは、腹側部Ａから股下部Ｃを経て背側部Ｂに亘る方向であり、おむつ１の幅方向Ｙは、おむつ長手方向Ｘと交差する方向である。また、おむつ１の長手方向Ｘは着用時における着用者の前後方向であることから、おむつや吸収体の長手方向Ｘにおける腹側を前方、背側を後方ともいう。
【００１２】
図１に示すように、おむつ１は、外装体２と、外装体２の肌面側に固定された吸収性本体３とを有している。
図２に示すように、吸収性本体３は、おむつの長手方向（Ｘ方向）と同方向に長い長方形状であり、液透過性の表面シート３１、液不透過性又は液難透過性（撥水性等）の裏面シート（図示せず）及び両シート間に介在配置された液保持性の吸収体４を有する。吸収体４は、パルプ繊維に吸水性ポリマーを保持させてなる。本実施形態における吸収体４は被覆シート３３で被覆されている。被覆シート３３は、１枚ものであってもよく、吸収体４の肌当接面側及び非肌当接面側のそれぞれを覆う２枚のシートから構成されていてもよい。被覆シート３３は、パルプ繊維や吸水性ポリマーの脱落等を防止するものであり、好ましくは、パルプ繊維及び吸水性ポリマーからなる吸収体４の肌当接面側及び／又は非肌当接面側に接着剤（ホットメルト型接着剤等）を介して接合されている。
なお、図２に示すように、吸収性本体３の長手方向の左右両側に、液抵抗性ないし撥水性で且つ通気性の素材から構成された側方カフス８、８が形成されている。各側方カフス８の自由端部の近傍には、複数の側方カフス弾性部材８１が伸張状態で配されている。側方カフス８は、おむつ着用時に起立して液の側方への流出を阻止する。
【００１３】
第１実施形態のおむつ１における吸収体４は、図２及び図３に示すように、おむつ長手方向Ｘと同方向に長い形状をしており、吸収体４の長手方向、中央吸収体５の長手方向及び側部吸収体６の長手方向は、何れも、おむつ長手方向Ｘと同方向である。そのため、吸収体４、中央吸収体５及び側部吸収体６のそれぞれの長手方向を長手方向Ｘともいう。
【００１４】
吸収体４は、股下部Ｃに、おむつ幅方向Ｙの中央部に位置する中央吸収体５と、その左右両側に間隔を設けて配置された側部吸収体６，６とを有している。
中央吸収体５と側部吸収体６，６との間は、おむつ長手方向Ｘに延びる一対の切離部７，７となっている。図２に示すように、中央吸収体５は、股下部Ｃから、背側部Ｂ及び腹側部Ａのそれぞれに延在しており、側部吸収体６，６及び切離部７，７は、股下部Ｃに設けられている。本実施形態における切離部７は、吸収体４を厚み方向に貫通した溝であり、吸水性ポリマーやパルプ繊維といった吸収体形成材料が存在しない領域である。しかし、中央吸収体５と側部吸収体６との間の切離部７は、中央吸収体５及び側部吸収体６それぞれにおける吸収体形成材料に比して顕著に低い坪量（例えば１／４以下）の吸収体形成材料が存在する部位であっても良い。第１実施形態の吸収体４においては、吸収体４の肌当接面側を覆うコアラップシートと吸収体４の非肌当接面側を覆うコアラップシートとが切離部７において接合されている。
なお、切離部７は、吸収体４の折れ曲がりを誘導する役割も果たす。おむつ１の装着時においては、側部吸収体６は、装着者側に近づくように斜めに起立する。
【００１５】
図３に示すように、中央吸収体５は、吸収体幅方向中心線ＣＬよりも前方に位置する前方部５ｆ、及び該中心線ＣＬよりも後方に位置する後方部５ｂを有している。また、側部吸収体６も、吸収体幅方向中心線ＣＬよりも前方に位置する前方部６ｆ、及び該中心線ＣＬよりも後方に位置する後方部６ｂを有している。
【００１６】
第１実施形態のおむつ１においては、中央吸収体５の前方部５ｆにおけるポリマー比率をＣＦとし、中央吸収体５の後方部５ｂのポリマー比率をＣＢとし、側部吸収体６の前方部６ｆのポリマー比率をＳＦとし、側部吸収体６の後方部６ｂのポリマー比率をＳＢとしたときに、ＣＦ＞ＣＢ＞ＳＢ、且つＣＦ＞ＳＦ＞ＳＢを満たす。ポリマー比率は、パルプ繊維に対する吸水性ポリマーの坪量比（パルプ繊維の坪量に対する吸水性ポリマーの坪量の比）を百分率で表したものである。
【００１７】
中央吸収体５の前方部５ｆ，後方部５ｂ、側部吸収体６の前方部６ｆ，後方部６ｂそれぞれの、パルプ繊維の坪量、吸水性ポリマーの坪量は、以下のようにして測定される。
【００１８】
＜パルプ繊維の坪量及び吸水性ポリマーの坪量の測定方法＞
吸収体４からコアラップシート３３を丁寧に剥がし、中央吸収体５及び側部吸収体６をそれぞれ吸収体幅方向中央線ＣＬで切断して、前方部５ｆ，後方部５ｂ，前方部６ｆ，後方部６ｂをそれぞれ切り出す。各々について、吸収性ポリマーとパルプ繊維の合計重量を測定する。次に、上記吸収体４において、各部位でのパルプ繊維含有量は同じとし、かつ吸収性ポリマーを含有しない吸収体４’を作成し、上記と同様にそれぞれの部位を切り出して、パルプ繊維の重量を測定する。
前者の吸収性ポリマーとパルプ繊維の合計重量から、後者のパルプ繊維の重量の引いた値を吸収性ポリマーの重量とする。上記のようにして求めた各部における吸収性ポリマーの重量とパルプ繊維の重量を、それぞれ、各部の平面視面積で除して、各部におけるそれぞれの坪量とする。
また、このような測定方法が困難な場合、例えば、市販されている製品から吸収体４を構成している材料の特定や入手が困難であって、吸収性ポリマーを含有しない吸収体を作成することが困難な場合には、以下の方法によって代用される。
吸収体４からコアラップシート３３を丁寧に剥がし、中央吸収体５及び側部吸収体６をそれぞれ吸収体幅方向中心線ＣＬで切断して、前方部５ｆ，後方部５ｂ，前方部６ｆ，後方部６ｂをそれぞれ切り出す。各々について、吸水性ポリマーとパルプ繊維とを分離し、各重量を測定する。吸水性ポリマーとパルプ繊維との分離は、吸水性ポリマーとパルプ繊維がほぼ完全に分離できればよく、種々の手段を用いることができる。たとえば、粒径の差を利用し、目の細かいメッシュで篩い分けしたり、重量の差を利用してパルプのみが飛散するような風量下に置いて、飛散前後の重量を測定しても良い。中央吸収体５の前方部５ｆ，後方部５ｂ、側部吸収体６の前方部６ｆ，後方部６ｂそれぞれの平面視面積を、伸長した状態で求める。たとえば、吸収体に弾性部材が配されていたりして、収縮しているような場合には、その収縮状態を解除するようにする。上記のようにして求めた各部における吸水性ポリマーの重量とパルプ繊維の重量を、それぞれ、各部の平面視面積で除して、各部におけるそれぞれの坪量とする。
【００１９】
また、このような測定方法が困難な場合には、以下の方法によって代用される。
吸収体４からコアラップシート３３を丁寧に剥がし、中央吸収体５及び側部吸収体６をそれぞれ吸収体幅方向中心線ＣＬで切断して、前方部５ｆ，後方部５ｂ，前方部６ｆ，後方部６ｂをそれぞれ切り出す。各々について、吸収体の重量を測定して、切り出した吸収体の坪量を算出する。また、高吸収性ポリマーの重量を定量し、切り出した吸収体の坪量から高吸収性ポリマーの坪量を差し引き、切り出した吸収体における繊維の坪量を算出する。切り出した吸収体中の高吸収性ポリマーの重量は、切り出した吸収体の重量・面積を測定した後、それぞれの切り出した吸収体をアスコルビン酸溶液に浸漬し、日光暴露させることで高吸収性ポリマーを溶解させ、水洗後の残存繊維重量を求め、切り出した吸収体の重量から水洗後の残存繊維重量を差し引くことで算出することができる。
【００２０】
中央吸収体５の前方部５ｆにおけるポリマー比率の好ましい範囲は、好ましくは４０％以上、より好ましくは５０％以上であり、また、好ましくは２００％以下、より好ましくは１８０％以下であり、例えば、４０〜２００％であることが好ましく、より好ましくは５０〜１８０％である。同様に、後方部５ｂにおけるポリマー比率の好ましい範囲は、２０％以上であり、また、好ましくは１５０％以下、より好ましくは１２０％以下であり、例えば、２０〜１５０％であることが好ましく、より好ましくは２０〜１２０％である。側部吸収体６の前方部６ｆにおけるポリマー比率の好ましい範囲は、２０％以上であり、また、好ましくは１５０％以下、より好ましくは１２０％以下であり、例えば、２０〜１５０％であることが好ましく、より好ましくは２０〜１２０％である。後方部６ｂにおけるポリマー比率の好ましい範囲は、５％以上であり、また、好ましくは１００％以下、より好ましくは８０％以下であり、例えば、５〜１００％であることが好ましく、より好ましくは５〜８０％である。当該範囲とすることによって、尿拡散範囲・拡散速度が良好になることに加えて、軟便の保持性能確保にも有効となる。
【００２１】
中央吸収体５の前方部５ｆにおけるポリマー坪量の好ましい範囲は、好ましくは８０ｇ／ｍ2以上、より好ましくは１００ｇ／ｍ2以上であり、また、好ましくは１８０ｇ／ｍ2以下、より好ましくは１６０ｇ／ｍ2以下であり、例えば、８０〜１８０ｇ／ｍ2であることが好ましく、より好ましくは１００〜１６０ｇ／ｍ2である。同様に、後方部５ｂにおけるポリマー坪量の好ましい範囲は、好ましくは３０ｇ／ｍ2以上、より好ましくは３５ｇ／ｍ2以上であり、また、好ましくは１００ｇ／ｍ2以下、より好ましくは８０ｇ／ｍ2以下であり、例えば、３０〜１００ｇ／ｍ2であることが好ましく、より好ましくは３５〜８０ｇ／ｍ2である。側部吸収体６の前方部６ｆにおけるポリマー坪量の好ましい範囲は、好ましくは２５ｇ／ｍ2以上、より好ましくは３０ｇ／ｍ2以上であり、また、好ましくは１００ｇ／ｍ2以下、より好ましくは８０ｇ／ｍ2以下であり、例えば、２５〜１００ｇ／ｍ2であることが好ましく、より好ましくは３０〜８０ｇ／ｍ2である。後方部６ｂにおけるポリマー坪量の好ましい範囲は、１０ｇ／ｍ2以上であり、また、好ましくは８０ｇ／ｍ2以下、より好ましくは７０ｇ／ｍ2以下であり、例えば、１０〜８０ｇ／ｍ2であることが好ましく、より好ましくは１０〜７０ｇ／ｍ2である。ポリマー坪量をこのような範囲とすることで、排尿部から拡散された体液の拡散範囲がより好ましい範囲となるとともに、軟便に対しての吸収保持能力も確保できる。一方、パルプ繊維坪量の好ましい範囲は、５ｆにおいては、好ましくは７０ｇ／ｍ2以上、より好ましくは８０ｇ／ｍ2以上であり、また、好ましくは１７０ｇ／ｍ2以下、より好ましくは１６０ｇ／ｍ2以下であり、例えば、７０〜１７０ｇ／ｍ2であることが好ましく、より好ましくは８０〜１６０ｇ／ｍ2である。５ｂにおいては、好ましくは６０ｇ／ｍ2以上、より好ましくは７０ｇ／ｍ2以上であり、また、１６０ｇ／ｍ2以下であり、例えば、６０〜１６０ｇ／ｍ2であることが好ましく、より好ましくは７０〜１６０ｇ／ｍ2である。６ｆにおいては、好ましくは７０ｇ／ｍ2以上、より好ましくは９０ｇ／ｍ2以上であり、また、１７０ｇ／ｍ2以下であり、例えば、７０〜１７０ｇ／ｍ2であることが好ましく、より好ましくは９０〜１７０ｇ／ｍ2である。６ｂにおいては、好ましくは１００ｇ／ｍ2以上、より好ましくは１２０ｇ／ｍ2以上であり、また、２００ｇ／ｍ2以下であり、例えば、１００〜２００ｇ／ｍ2であることが好ましく、より好ましくは１２０〜２００ｇ／ｍ2である。パルプ繊維坪量をこのような範囲とすることで、体液の拡散速度を適度なものとすることが容易になる。
【００２２】
また、第１実施形態において、中央吸収体５の前方部５ｆと後方部５ｂとは物理的に連続しており、且つ、側部吸収体６の前方部６ｆと後方部６ｂとは物理的に連続している。物理的に連続しているとは、別々に製造したパルプ繊維及び吸水性ポリマーの混合積繊体を突き合わせて配置したようなものではないことを意味する。
【００２３】
また、中央吸収体５は、その前方部５ｆから後方部５ｂに亘って、吸水性ポリマーのパルプ繊維に対する坪量比が連続的に変化していることが好ましい。また、側部吸収体６も、その前方部６ｆから後方部６ｂに亘って、吸水性ポリマーのパルプ繊維に対する坪量比が連続的に変化していることが好ましい。中央吸収体５及び／又は側部吸収体６は、吸水性ポリマーの坪量が、前方部５ｆ，６ｆから後方部５ｂ，６ｂに亘って連続的に変化していることが好ましい。
ここでいう、前方部から後方部に亘って連続的に変化するとは、中央吸収体５については、前方部５ｆのＸ方向中央部と後方部５ｂのＸ方向中央部との間に、前記坪量比や吸水性ポリマーの坪量が、急激に変化する部位を有しないことを意味し、側部吸収体６については、前方部６ｆのＸ方向中央部と後方部６ｂのＸ方向中央部との間に、前記坪量比や吸水性ポリマーの坪量が、急激に変化する部位を有しないことを意味する。また、連続的に変化という表現には、前方部５ｆ（６ｆ）のＸ方向中央部と後方部５ｂ（６ｂ）のＸ方向中央部との間に、前記坪量比や吸水性ポリマーの坪量が変化しない部分を含む場合を含む。
【００２４】
より好ましくは、中央吸収体５は長手方向Ｘの前端部から後端部にかけて、吸水性ポリマーのパルプ繊維に対する坪量比が連続的に減少しており、側部吸収体６は長手方向Ｘの前端部から後端部にかけて、吸水性ポリマーのパルプ繊維に対する坪量比が連続的に減少している。そして、吸収体４の全体においても、吸水性ポリマーのパルプ繊維に対する坪量比が、その長手方向Ｙの前端部から後端部に掛けて連続的に減少している。
【００２５】
第１実施形態の吸収体４について、図３に基づいて更に詳述する。
第１実施形態における中央吸収体５は、図２及び図３に示すように、後方部５ｂに、股下部Ｃにおけるよりも幅が拡大した幅広部５ｘを有している。また、中央吸収体５は、前方部５ｆにも、股下部Ｃにおけるよりも幅が拡大した幅広部５ｘ’を有している。それによって、中央吸収体５は、その長手方向Ｘの中央部が括れた砂時計形状をしている。
より具体的には、中央吸収体５は、図３に示すように、その長手方向Ｘにおける、中央部５ｒ、前方部５ｆ側の端部５ｐ及び後方部５ｂ側の端部５ｑのそれぞれに、両側縁が長手方向Ｘに平行な部分（おむつ幅方向Ｙの幅が一定になった部分、以下側縁平行部分ともいう）を有している。前記中央部５ｒにおける前記側縁平行部分の幅は、前方部５ｆ側の端部５ｐにおける前記側縁平行部分の幅、及び後方部５ｂ側の端部５ｑにおける前記側縁平行部分の幅よりも小さくなっている。中央部５ｒから前方部５ｆ側の端部５ｐにかけて、また中央部５ｒから後方部５ｂ側の端部５ｑにかけて、中央吸収体５の幅は漸増している。
【００２６】
中央吸収体５は、後方部５ｂ側の幅広部５ｘの最大幅Ｌ５が、股下部Ｃにおける側部吸収体６，６の外側縁（おむつ幅方向外側の側縁６ｗ，６ｗ）同士間の距離Ｌ６と等しい。これにより、長手方向Ｘにおいて、側部吸収体６の後方部６ｂ側の端部が、中央吸収体５の後方部５ｂにおける、側縁が長手方向Ｘに対して傾斜した部分と対向している。なお、図３に示す例では、中央吸収体５は、前方部５ｆ側の端部５ｐにおける最大幅Ｌ５’と幅広部５ｘの最大幅Ｌ５とが等しい。また、前記距離Ｌ６は、側部吸収体６の全長に亘って略一定である。
【００２７】
側部吸収体６，６は、中央吸収体５の括れた長手方向Ｘの中央部５ｒにおける両側に配されている。側部吸収体６は中央吸収体５の括れ形状に合わせた形状をしている。図３に示す例においては、側部吸収体６は、おむつ幅方向Ｙの底辺を有する略等脚台形状をしている。
【００２８】
切離部７，７は、中央吸収体５の括れた部分における両側縁に沿って設けられている。切離部７，７は、中央吸収体５の括れ部分の形状に合わせて、平面視において末広がりの略コの字状をしている。切離部の長手方向の長さの、中央吸収体５の長手方向長さに対する割合は、好ましくは３５％以上、より好ましくは４０％以上、また、好ましくは８０％以下、より好ましくは７０％以下であり、例えば、３５〜８０％が好ましく、より好ましくは４０〜７０％である。大人用おむつの場合は、切離部の長手方向長さは、好ましくは２００ｍｍ以上、より好ましくは２５０ｍｍ上であり、また、好ましくは４５０ｍｍ以下、より好ましくは４００ｍｍ以下であり、例えば、２００〜４５０ｍｍであることが好ましく、より好ましくは２５０〜４００ｍｍである。中央吸収体５と側部吸収体６，６とは、切離部を介して、それぞれ別体として形成されていることが好ましい。
第１実施形態において、中央吸収体５と側部吸収体６，６との間には、連続部分が設けられておらず、切離部７，７の前後端部は、吸収体の両側縁まで延在している。これにより、中央吸収体５と側部吸収体６，６とは、物理的に連続していない。切離部７，７は、中央吸収体５の前方部５ｆと前方部６ｆとの間を仕切っているとともに、中央吸収体５の後方部５ｂと側部吸収体６の後方部６ｂとの間を仕切っている。
切離部７の幅７ｗ（図３参照）は、好ましくは５ｍｍ以上、より好ましくは１０ｍｍ以上であり、また、好ましくは４０ｍｍ以下、より好ましくは３０ｍｍ以下であり、例えば、５〜４０ｍｍであることが好ましく、より好ましくは１０〜３０ｍｍである。第１実施形態において、切離部７の幅７ｗは略一定である。
【００２９】
なお、おむつ幅方向Ｙにおいて、中央吸収体５の最大幅Ｌ５と、側部吸収体６の最大幅Ｌ６ｗ（図３参照）との比（Ｌ５／Ｌ６ｗ）は２．１以上、４．５以下であることが好ましい。また、おむつ長手方向Ｘにおいて、中央吸収体５の最大長さＬ５ｘと、側部吸収体６の最大長さＬ６ｘ（図３参照）との比（Ｌ５ｘ／Ｌ６ｘ）は１．５以上、３．０以下であることが好ましい。
【００３０】
また、中央吸収体５は、長手方向Ｘの一端側に切り欠き部５ｋを有している。第１実施形態においては、切り欠き部５ｋは、中央吸収体５の長手方向Ｘにおける後方部５ｆ側の端部５ｑに形成されている。切り欠き部５ｋは、おむつ幅方向Ｙの底辺を有する略二等辺三角形状である。第１実施形態において切り欠き部５ｋは、吸水性ポリマーやパルプ繊維といった吸収体形成材料が存在しない部分である。しかし、切り欠き部５ｋは、隣接する部位における吸収体形成材料の坪量に比して顕著に低い坪量（例えば１／４以下）の吸収体形成材料が存在する部位であっても良い。例えば、切り欠き部５ｋに存する吸収体形成材料の坪量（パルプ繊維と吸水性ポリマーとの合計坪量は６０ｇ／ｍ2以下であることが好ましい。
【００３１】
図２に示すように、外装体２は、吸収性本体３の周縁部の外方全域に亘って延出しており、展開且つ伸長状態のおむつ１においては、長手方向中央部が括れた砂時計形状をしている。外装体２は、おむつ１の外表面を形成する外層シート２２、外層シート２２に隣接させて外層シート２２の肌面側に配された内層シート２３、及び、腹側部Ａ及び背側部Ｂにそれぞれ１枚ずつ配されて吸収性本体３の上端部及びその近傍の肌面側を覆う補助シート２４が積層されてなる。図２に示すように、背側部Ｂ及び腹側部Ａのそれぞれにおいて、吸収性本体３の上端部は、内層シート２３と該内層シート２３より肌面側に位置する補助シート２４との間に挟まれている。また外層シート２２は、背側部Ｂ及び腹側部Ａのそれぞれにおいて、おむつ１のウエスト開口縁部よりも外側に延出する部分が肌面側に折り返された折り返し部２２ａを有しており、該折り返し部２２ａが補助シート２４の肌面側に積層されている。
【００３２】
おむつ１の形成材料について説明する。おむつ１の各部の部材は、使い捨ておむつ、生理用ナプキン、失禁パッド等のおむつに従来用いられている各種のもの等を特に制限なく用いることができる。例えば、表面シート３１としては、不織布や開孔フィルム等の液透過性のシートを用いることができる。ただし、表面シート３１は、肌への当りのソフトな材料からなる親水処理を施したエアースルー不織布やスパンボンド不織布などであることが好ましい。
裏面シートとしては、例えば、透湿性を有しない樹脂フィルムや、微細孔を有し、透湿性を有する樹脂フィルム、撥水不織布等の不織布、これらと他のシートとのラミネート体等を用いることができる。また、コアラップシート３３としては、親水性の紙（例えばティッシュペーパー）や透水性の不織布等を用いることができ、特に親水性の紙であることが好ましい。また、吸収体４に含まれる吸水性ポリマーとして、使い捨ておむつ、生理用ナプキン、失禁パッド等のおむつの吸収体に従来使用されている各種の組成や形状の吸水性ポリマーを使用できる。吸収体４に含まれるパルプ繊維についても同様である。
【００３３】
吸収体４は、パルプ繊維と吸水性ポリマーとの混合積繊物、パルプ繊維の積繊物の間に吸水性ポリマーを介在させたもの等が挙げられるが、これらに限定されるものではない。また、切り欠き部５ｋは、混合積繊物等の一部を切除して形成することができる。また、パルプ繊維の積繊物やパルプ繊維と吸収性ポリマーの混合積繊物を積繊機等で製造する際に、切り欠き部に相当する箇所にパルプ繊維等が堆積しないようにすることにより形成することもできる。
【００３４】
本実施形態のおむつ１は、上述したように、吸収体４の各部のポリマー比率が、ＣＦ＞ＣＢ＞ＳＢ、且つＣＦ＞ＳＦ＞ＳＢの関係を満たすため、図４に示すように、中央吸収体５の前方部５ｆに排泄された液（尿）は、中央吸収体５内を拡散して前方部５ｆから後方部５ｂに移行する経路Ｒ１によって、中央吸収体５の前方部５ｆから後方部５ｂへの移動が生じる。また、中央吸収体５の前方部５ｆから、側部吸収体６に移行し、側部吸収体６内を前方部６ｆから後方部６ｂへ拡散する。そして、再び中央吸収体５の後方部５ｂに戻るという経路Ｒ２によっても、中央吸収体５の前方部５ｆから後方部５ｂへの移動が生じる。また、中央吸収体５の後方部５ｂは、中央吸収体５の前方部６ｆに比してポリマー比率が低く、ゲルブロッキングが生じにくいため、後方部５ｂに達した液は、該後方部５ｂに体圧が掛かっているような状態においても該後方部５ｂに良好に吸収される。
【００３５】
より詳細に説明すると、側部吸収体６の前方部６ｆのポリマー比率ＳＦが中央吸収体５の前方部５ｆのポリマー比率ＣＦよりも低い（ＣＦ＞ＳＦ）ことや、中央吸収体５と側部吸収体６後方部５ｂとの間に切離部７を有することによって、前方部５ｆに排泄された液（尿）は、中央吸収体５の前方部５ｆから側部吸収体６の前方部６ｆへと移行し易い。また、側部吸収体６の前方部６ｆへ移行した液は、側部吸収体６の前方部６ｆのポリマー比率ＳＦが側部吸収体６の後方部６ｂのポリマー比率ＳＢよりも高い（ＳＦ＞ＳＢ）ことによって、側部吸収体６内を拡散して後方部６ｂへと移行し易い。この中央吸収体５の前方部５ｆから側部吸収体６の後方部６ｂへの液の移動は着用者が横向きに寝ている状態において一層生じやすい。切離部７の存在によって、切離部７が導水溝の役割を果たし、長手方向Ｘにかけて拡散を促すことで、中央吸収体５の前方部５ｆから側部吸収体６の前方部６ｆへの液の移動が生じやすい。
【００３６】
また、中央吸収体５の後方部５ｂのポリマー比率ＣＢが、中央吸収体５の前方部５ｆのポリマー比率ＣＦより低いこと（ＣＦ＞ＣＢ）によって、後方部５ｂは、ゲルブロッキングが生じにくく良好な吸収性能を維持し易いため、体圧が掛かっている状態においても、液が後方部５ｂに吸収されて保持されやすい。
また、中央吸収体５の後方部５ｂのポリマー比率ＣＢが、側部吸収体６の後方部６ｂのポリマー比率ＳＢより高いこと（ＣＢ＞ＳＢ）、及び切離部７の存在によって、後方部６ｂから切離部７を介して後方部５ｂへ液が受け渡し易くなっている。つまり、側部吸収体６の後方部６ｂが吸収しきれなかった液を、隣接する中央吸収体５の後方部５ｂが吸い上げやすい。しかも後方部５ｂに移行した液は保持され易く、吸収体の後端から漏れ出し難い。
このような作用により、おむつ１によれば、吸収体の広い範囲の吸収性能を効果的に発現させることができ、優れた吸収性能及び漏れ防止性能が得られると考えられる。
【００３７】
このような効果が確実に奏される観点から、吸収体４の各ポリマー比率の差は、以下の通りであることが好ましい。中央吸収体５の前方部５ｆのポリマー比率（ＣＦ）と中央吸収体５の後方部５ｂのポリマー比率（ＣＢ）との差（ＣＦ−ＣＢ）は、２０パーセントポイント以上、好ましくは５０パーセントポイント以上である。中央吸収体５の後方部５ｂのポリマー比率（ＣＢ）と側部吸収体６の後方部６ｂのポリマー比率（ＳＢ）との差（ＣＢ−ＳＢ）は、１５パーセントポイント以上、好ましくは３０パーセントポイント以上である。中央吸収体５の前方部５ｆのポリマー比率（ＣＦ）と側部吸収体６の前方部６ｆのポリマー比率（ＳＦ）との差（ＣＦ−ＳＦ）は、２０パーセントポイント以上、好ましくは５０パーセントポイント以上である。側部吸収体６の前方部６ｆのポリマー比率（ＳＦ）と側部吸収体６の後方部６ｂのポリマー比率（ＳＢ）との差（ＳＦ−ＳＢ）は、１５パーセントポイント以上、好ましくは３０パーセントポイント以上である。
【００３８】
このような効果が確実に奏される観点から吸収体４は、その上下両面を、ティッシュペーパーや、親水性繊維からなる不織布製のコアラップシート３３に被覆されていることが好ましい。吸収体４の上下両面に配されたコアラップシート３３が、切離部７を介して直接接合されていることが好ましい。直接接合させることで、凹部の発現を促し、導水溝としての効果をより一層果たすことができる。
【００３９】
また、中央吸収体５の前方部５ｆと後方部５ｂや、側部吸収体６の前方部６ｆと後方部６ｂが、それぞれ物理的に連続していると、中央吸収体５の前方部５ｆと後方部５ｂとの間、又は側部吸収体６の前方部６ｆと後方部６ｂとの間で吸水性ポリマーの坪量及びパルプ繊維の坪量の急激な変化が起こりにくい。このためおむつ１は、装着時の違和感を抑制することができる。
特に中央吸収体５及び側部吸収体６の一方又は両方は、それぞれの前方部から後方部に亘って、吸水性ポリマーのパルプ繊維に対する坪量比が連続的に変化していることが、装着時の違和感の抑制の観点から一層好ましい。
【００４０】
また、おむつ１は、中央吸収体５の長手方向Ｘの後方部５ｆ側の端部５ｑに、切り欠き部５ｋを有しており、これにより装着性の向上を図っている。一般的に、吸収体４に切り欠き部５ｋを設けると、後方部５ｂ側の端部５ｑから液漏れしやすくなる。しかしながら、本発明のおむつ１においては、中央吸収体５の前後方向の吸収性能に加えて、側部吸収体６を介した体液の幅方向の拡散によって吸収体全体の吸収性能が有効に利用することが容易になっている。そのため、切り欠き部５ｋを設けても液漏れが生じにくくなっている。このために、液吸収性能と装着性の両立が図られている。
【００４１】
更に、おむつ１においては、中央吸収体５が股下部Ｃにおけるよりも幅が拡大した幅広部５ｘを有している。幅広部５ｘの最大幅Ｌ５が、側部吸収体６における側縁６ｗ，６ｗ間の距離Ｌ６と等しい。このため、側部吸収体６からの液が、中央吸収体５における幅広部５ｘに拡散しやすく、中央吸収体５に液が保持されやすい。これにより、おむつ１は切り欠き部５ｋを設けつつ、吸収体４からの液漏れを低減させることができ、装着性向上と液漏れ低減とを両立させることができる。
【００４２】
次に、本発明の第２〜第４実施形態の使い捨ておむつについて図５〜図７に基づき説明する。第２〜第４実施形態については、第１実施形態と異なる点について説明し、同様の点については、同一の符号を付して説明を省略する。特に言及しない点については、上述した使い捨ておむつ１に関する説明が適宜適用される。
【００４３】
第２〜４実施形態の使い捨ておむつは、第１実施形態の使い捨ておむつにおける吸収体４を、図５〜図７に示す吸収体４Ａ〜４Ｃに置き換えたものである。
第２実施形態における吸収体４Ａの形状を図５に示す。吸収体４Ａは、側部吸収体６の前方部６ｆ側の端部と、中央吸収体５の前方部５ｆ側の幅広部５ｘ’との間は、吸収体形成材料が連続的に存在して、切離部７に隔てられていない。切離部７Ａ，７Ａは、おむつ長手方向Ｘの前端が、吸収体４Ａの外縁まで延在しておらず、平面視において吸収体４Ａの内部に位置する行き止まりの端部となっている。
【００４４】
図６に示す第３実施形態における吸収体４Ｂは、第２実施形態とは反対に、側部吸収体６の後方部６ｂ側の端部と、中央吸収体５の後方部５ｂの幅広部５ｘとの間は、吸収体形成材料が連続的に存在して、切離部７Ｂに隔てられていない。切切離部７Ｂ，７Ｂは、おむつ長手方向Ｘの後端が、吸収体４Ｂの外縁まで延在しておらず、平面視において吸収体４Ｂの内部に位置する行き止まりの端部となっている。
【００４５】
また、図７で示す第４実施形態における吸収体４Ｃは、側部吸収体６の前方部６ｆ側の端部と中央吸収体５の前方部５ｆ側の幅広部５ｘ’との間は、吸収体形成材料が連続的に存在して、切離部７Ｃに隔てられていない。また、側部吸収体６の後方部６ｂ側の端部と、中央吸収体５の後方部４ｂ側の幅広部５ｘとの間が、吸収体形成材料が連続的に存在して、切離部７Ｃに隔てられていない。
【００４６】
以上、本発明のおむつについて好ましい実施形態を複数説明したが、本発明は上述した各実施形態に何ら制限されるものではなく、適宜変更可能である。
【００４７】
例えば、吸収体４は、コアラップシート３３に被覆されていることが好ましいが、被覆されていなくてもよい。また、切り欠き部５ｋは、必ずしも中央吸収体５に設けられていなくてもよい。切り欠き部５ｋが設けられる場合、中央吸収体５の長手方向Ｘの後側の端部５ｑではなく、前側の端部５ｐに設けられていてもよく、両端部に設けられていてもよい。
【００４８】
また、中央吸収体は、長手方向中央部が括れていなくてもよく、例えば矩形状、台形状等、任意の形状を有することができる。側部吸収体の形状も、例えば、矩形状、三角形状等、半円状等、任意の形状を有することができる。
また、中央吸収体と側部吸収体は、前方部と後方部とが物理的に連続していなくてもよい。
また、吸収体４は２層構造を有していてもよいが、１層構造であることが好ましい。
また、使い捨ておむつは、幼児用でも成人用でもよく、またパンツ型おむつでなくてもよく、展開式（テープ止め式）の使い捨ておむつ等であってもよい。
【００４９】
上述した実施形態に関し、本発明はさらに以下の形態を開示する。
＜１＞
吸水性ポリマーとパルプ繊維とを含む吸収体を備えた使い捨ておむつであって、
前記吸収体は股下部に、中央吸収体と、該中央吸収体の両側に該中央吸収体との間に間隔を設けて配置された側部吸収体とを有しており、
前記吸収体の長手方向の全長を２等分する吸収体幅方向中心線によって、前記中央吸収体及び前記側部吸収体のそれぞれを前方部と後方部とに区分し、中央吸収体の前方部、中央吸収体の後方部、側部吸収体の前方部及び側部吸収体の後方部のそれぞれにおける吸水性ポリマーのパルプ繊維に対する坪量比を、この順にＣＦ、ＣＢ、ＳＦ及びＳＢとしたときに、下記式（１）の関係を満たす、使い捨ておむつ。
ＣＦ＞ＣＢ＞ＳＢ、且つＣＦ＞ＳＦ＞ＳＢ    ・・・（１）
＜２＞
前記中央吸収体又は前記側部吸収体は、それぞれの前記前方部と前記後方部とが物理的に連続している、前記＜１＞に記載の使い捨ておむつ。
＜３＞
前記中央吸収体又は前記側部吸収体は、前記前方部から前記後方部に亘って、吸水性ポリマーのパルプ繊維に対する坪量比が連続的に変化している、前記＜２＞に記載の使い捨ておむつ。
＜４＞
前記中央吸収体及び前記側部吸収体は、それぞれの前記前方部と前記後方部とが物理的に連続している、前記＜１＞に記載の使い捨ておむつ。
【００５０】
＜５＞
前記中央吸収体及び前記側部吸収体は、それぞれの前記前方部から前記後方部に亘って、吸水性ポリマーのパルプ繊維に対する坪量比が連続的に変化している、前記＜４＞に記載の使い捨ておむつ。
＜６＞
前記中央吸収体における長手方向後方部側の端部に切り欠き部が設けられている、前記＜１＞〜＜５＞のいずれか１に記載の使い捨ておむつ。
＜７＞
前記中央吸収体と前記側部吸収体は、長手方向全体に亘って、別体として形成されている、前記＜１＞〜＜６＞のいずれか１に記載の使い捨ておむつ。
＜８＞
前記中央吸収体の前記前方部と前記中央吸収体の前記後方部の、前記吸水性ポリマーの前記パルプ繊維に対する坪量比（ポリマー比率）の差（ＣＦ−ＣＢ）は、２０パーセントポイント以上、好ましくは５０パーセントポイント以上である、前記＜１＞から＜７＞のいずれか１に記載の使い捨ておむつ。
＜９＞
前記中央吸収体の前記後方部と前記側部吸収体の前記後方部の、前記吸水性ポリマーの前記パルプ繊維に対する坪量比（ポリマー比率）の差（ＣＢ−ＳＢ）は、１５パーセントポイント以上、好ましくは３０パーセントポイント以上である、前記＜１＞〜＜８＞のいずれか１に記載の使い捨ておむつ。
【００５１】
＜１０＞
前記中央吸収体の前記前方部と前記側部吸収体の前記前方部の、前記吸水性ポリマーの前記パルプ繊維に対する坪量比（ポリマー比率）の差（ＣＦ−ＳＦ）は、２０パーセントポイント以上、好ましくは５０パーセントポイント以上である、前記＜１＞〜＜９＞のいずれか１に記載の使い捨ておむつ。
＜１１＞
前記側部吸収体の前記前方部と前記側部吸収体の前記後方部の、前記吸水性ポリマーの前記パルプ繊維に対する坪量比（ポリマー比率）の差（ＳＦ−ＳＢ）は、１５パーセントポイント以上、好ましくは３０パーセントポイント以上である、前記＜１＞〜＜１０＞のいずれか１に記載の使い捨ておむつ。
＜１２＞
前記中央吸収体の両側部と前記側部吸収体との間に設けられた切離部の幅は、５ｍｍ以上、好ましくは１０ｍｍ以上であり、４０ｍｍ以下、好ましくは３０ｍｍ以下である、前記＜１＞〜＜１１＞のいずれか１に記載の使い捨ておむつ。
＜１３＞
前記切離部の前記長手方向の長さは、２００ｍｍ以上、好ましくは２５０ｍｍ以上であり、４５０ｍｍ以下、好ましくは４００ｍｍ以下である、前記＜１＞〜＜１２＞のいずれか１に記載の使い捨ておむつ。
＜１４＞
前記吸収体の肌当接面側を覆うコアラップシートと、前記吸収体の非肌当接面側を覆うコアラップシートとが、前記切離部において接合されている、前記＜１＞〜＜１３＞のいずれか１に記載の使い捨ておむつ。
【００５２】
＜１５＞
前記中央吸収体の前記前方部は、前記吸水性ポリマーの前記パルプ繊維に対する坪量比（ポリマー比率）が、好ましくは４０％以上、より好ましくは５０％以上であり、好ましくは２００％以下、より好ましくは１８０％以下である、前記＜１＞〜＜１４＞のいずれか１に記載の使い捨ておむつ。
＜１６＞
前記中央吸収体の前記後方部は、前記吸水性ポリマーの前記パルプ繊維に対する坪量比（ポリマー比率）が、２０％以上であり、好ましくは１５０％以下、より好ましくは１２０％以下である、前記＜１＞〜＜１５＞のいずれか１に記載の使い捨ておむつ。
＜１７＞
前記側部吸収体の前記前方部は、前記吸水性ポリマーの前記パルプ繊維に対する坪量比（ポリマー比率）が、２０％以上であり、好ましくは１５０％以下、より好ましくは１２０％以下である、前記＜１＞〜＜１６＞のいずれか１に記載の使い捨ておむつ。
＜１８＞
前記側部吸収体の前記後方部は、前記吸水性ポリマーの前記パルプ繊維に対する坪量比（ポリマー比率）が、５％以上であり、好ましくは１００％以下、より好ましくは８０％以下である、前記＜１＞〜＜１７＞のいずれか１に記載の使い捨ておむつ。
＜１９＞
前記中央吸収体の前記前方部は、前記吸水性ポリマーの坪量が、好ましくは８０ｇ／ｍ2以上、より好ましくは１００ｇ／ｍ2以上であり、好ましくは１８０ｇ／ｍ2以下、より好ましくは１６０ｇ／ｍ2以下である、前記＜１＞〜＜１８＞のいずれか１に記載の使い捨ておむつ。
【００５３】
＜２０＞
前記中央吸収体の前記後方部は、前記吸水性ポリマーの坪量が、好ましくは３０ｇ／ｍ2以上、より好ましくは３５ｇ／ｍ2以上であり、好ましくは１００ｇ／ｍ2以下、より好ましくは８０ｇ／ｍ2以下である、前記＜１＞〜＜１９＞のいずれか１に記載の使い捨ておむつ。
＜２１＞
前記側部吸収体の前記前方部は、前記吸水性ポリマーの坪量が、好ましくは２５ｇ／ｍ2以上、より好ましくは３０ｇ／ｍ2以上であり、好ましくは１００ｇ／ｍ2以下、より好ましくは８０ｇ／ｍ2以下である、前記＜１＞〜＜２０＞のいずれか１に記載の使い捨ておむつ。
＜２２＞
前記側部吸収体の前記後方部は、前記吸水性ポリマーの坪量が、１０ｇ／ｍ2以上であり、好ましくは８０ｇ／ｍ2以下、より好ましくは７０ｇ／ｍ2以下である、前記＜１＞〜＜２１＞のいずれか１に記載の使い捨ておむつ。
＜２３＞
前記中央吸収体の前記前方部は、前記パルプ繊維の坪量が、好ましくは７０ｇ／ｍ2以上、より好ましくは８０ｇ／ｍ2以上であり、好ましくは１７０ｇ／ｍ2以下、より好ましくは１６０ｇ／ｍ2以下である、前記＜１＞〜＜２２＞のいずれか１に記載の使い捨ておむつ。
＜２４＞
前記中央吸収体の前記後方部は、前記パルプ繊維の坪量が、好ましくは６０ｇ／ｍ2以上、より好ましくは７０ｇ／ｍ2以上であり、１６０ｇ／ｍ2以下である、前記＜１＞〜＜２３＞のいずれか１に記載の使い捨ておむつ。
【００５４】
＜２５＞
前記側部吸収体の前記前方部は、前記パルプ繊維の坪量が、好ましくは７０ｇ／ｍ2以上、より好ましくは９０ｇ／ｍ2以上であり、１７０ｇ／ｍ2以下である、前記＜１＞〜＜２４＞のいずれか１に記載の使い捨ておむつ。
＜２６＞
前記側部吸収体の前記後方部は、前記パルプ繊維の坪量が、好ましくは１００ｇ／ｍ2以上、より好ましくは１２０ｇ／ｍ2以上であり、２００ｇ／ｍ2以下である、前記＜１＞〜＜２５＞のいずれか１に記載の使い捨ておむつ。
＜２７＞
前記中央吸収体は、前記後方部に、股下部におけるよりも幅が拡大した幅広部を有しており、該幅広部の最大幅が、該股下部における前記側部吸収体の外側縁同士間の距離と等しくなされている、前記＜１＞〜＜２６＞のいずれか１に記載の使い捨ておむつ。
＜２８＞
前記幅方向において、前記中央吸収体の最大幅と、前記側部吸収体の最大幅との比は、２．１以上であり、４．５以下である、前記＜２７＞に記載の使い捨ておむつ。
＜２９＞
前記長手方向において、前記中央吸収体の最大長さと、前記側部吸収体の最大長さとの比は、１．５以上であり、３．０以下である、前記＜１＞〜＜２８＞のいずれか１に記載の使い捨ておむつ。
【００５５】
＜３０＞
前記使い捨ておむつは、パンツ型おむつである、前記＜１＞〜＜２９＞のいずれか１に記載の使い捨ておむつ。
＜３１＞
前記使い捨ておむつは、展開式おむつである、前記＜１＞〜＜２９＞のいずれか１に記載の使い捨ておむつ。
【実施例】
【００５６】
以下、実施例及び比較例により本発明を具体的に説明するが、本発明はこれらに限定されるものではない。
【００５７】
〔実施例〕
第１実施形態の吸収体４と同様の吸収体を作製した。吸収体の形態は、図３に示すものと同様であった。切離部７の幅７ｗは１５ｍｍ、中央吸収体５の長手方向Ｘの全長Ｌ５ｘは５８０ｍｍ、中央吸収体５の最大幅Ｌ５は１８０ｍｍ、側部吸収体の長手方向Ｘの全長Ｌ６ｘは３５８ｍｍ、側部吸収体６の最大幅Ｌ６ｗは３３ｍｍ、であった。切離部７以外の部分において吸収体の厚みは略一定であり、１ｍｍであった。吸水性ポリマーとしては、加圧状況下における通液性に優れた吸水ポリマーを用い、パルプ繊維としては、通常のフラッフパルプを用いた。中央吸収体５の前方部５ｆ，後方部５ｂ、側部吸収体６の前方部６ｆ，後方部６ｂのそれぞれにおける、ポリマー比率、パルプ繊維の坪量、吸水性ポリマーの坪量は表１に示す値とした。
吸収体４の肌当接面側は、坪量１５ｇ／ｍ2のコアラップシート（ティッシュペーパー）で覆い、吸収体４の非肌当接面側は、坪量１５ｇ／ｍ2のコアラップシート（ティッシュペーパー）で覆った。また、切離部において上下のコアラップシート間を接着剤で接合し、製造時には切離部のパターン形状に凸部を施したロールで押して接着させることで、凹部を形成しやすくし、折れ曲がりを誘導し、かつ液の移動にも有効である。
【００５８】
〔比較例１〕
中央吸収体５の前方部５ｆ，後方部５ｂ、側部吸収体６の前方部６ｆ，後方部６ｂのそれぞれにおける、ポリマー比率、パルプ繊維の坪量、吸水性ポリマーの坪量を表１に示す値とした以外、実施例１と同様にして、吸収体を作成した。
【００５９】
〔比較例２〕
図３に示す第１実施形態の吸収体を、切離部が形成されていないものに変更した以外は、実施例と同様にして、吸収体を作成した。この場合、吸収体における、実施例の中央吸収体に相当する部分を中央吸収体とみなし、実施例の側部吸収体に相当する部分を側部吸収体とみなして、吸水性ポリマーとパルプ繊維の坪量を測定した。
【００６０】
〔比較例３〕
中央吸収体５及び側部吸収体６として、ポリマー比率、パルプ繊維の坪量及び吸水性ポリマーの坪量が、それぞれ均一なもの（各値は表１に示す）を作成した以外は、実施例１と同様にして、吸収体を作成した。
【００６１】
〔評価〕
〔前拡散距離、後拡散距離、及び最大拡散距離の測定方法〕
実施例１及び比較例１〜３のコアラップシートに被覆された状態の吸収体を、幅方向が上下になるように６０°の平滑な斜面に固定し、吸収体の注入ポイントに、人工尿を５０ｇ、５ｇ／秒の注入速度で注入した。注入ポイントは、吸収体の前端から２００ｍｍの位置であり、且つ、傾斜状態の吸収体の下端から９５ｍｍの位置とした。注入終了から５分後に注入ポイントから液が前方へ拡散した長手方向Ｘの最大距離を測定して前拡散距離とした。また注入終了から５分後に注入ポイントから液が後方へ拡散した長手方向Ｘの最大距離を測定して後拡散距離とした。最大拡散距離は、前拡散距離と、後拡散距離の合計とした実施例及び比較例１〜３の吸収体の各拡散距離の値を表１に示す。
【００６２】
【表１】
0005978048.tif 000002
【００６３】
表１に示すように、実施例と比較例２との比較により、実施例の吸収体は、切離部を有することにより、後方への液拡散に優れていることが分かる。更に、実施例と比較例１との比較により、実施例の吸収体は、切離部を有するだけでなく、各部のポリマー比率が、上述した関係であることによって、後方への液拡散に優れていることが分かる。これらの結果から、実施例１の吸収体においては、側部吸収体における液の吸収・拡散が吸収体の前後方向における液拡散に寄与して、吸収体全体が有効に活用されていることが示唆される。また、比較例３の吸収体は、前後方向の液拡散性に優れるが、排尿量が多い場合には、後方に移行した液が吸収体の後端側から漏れ出す恐れがある。すなわち、実施例の吸収体は、前後方向への体液の液拡散性が優れることから、吸収体全体で体液を有効に吸収でき、吸収性能が優れたものであると伴に、吸収体の後方部への体液の拡散が前方部よりも制御されていることから、体液が吸収体の後端側から漏れ出す恐れが少なく、体液の液漏れ防止性能にすぐれたものである。
【符号の説明】
【００６４】
１  使い捨ておむつ
４  吸収体
５  中央吸収体
５ｆ  前方部
５ｂ  後方部
５ｋ  切り欠き部
５ｘ  幅広部
５ｐ  前方部側の端部
５ｑ  後方部側の端部
６  側部吸収体
６ｆ  前方部
６ｂ  後方部
ＣＦ  中央吸収体の前方部における吸水性ポリマーのパルプ繊維に対する坪量比
ＣＢ  中央吸収体の後方部における吸水性ポリマーのパルプ繊維に対する坪量比
ＳＦ  側部吸収体の前方部における吸水性ポリマーのパルプ繊維に対する坪量比
ＳＢ  側部吸収体の後方部における吸水性ポリマーのパルプ繊維に対する坪量比
６ｗ  側部吸収体における幅方向外側の側縁
Ｌ５  中央吸収体の後方部側の幅広部の最大幅
Ｌ６  側部吸収体の外側縁間の距離
Ｃ    股下部
【図１】
0005978048.tif 000003
【図２】
0005978048.tif 000004
【図３】
0005978048.tif 000005
【図４】
0005978048.tif 000006
【図５】
0005978048.tif 000007
【図６】
0005978048.tif 000008
【図７】
0005978048.tif 000009